(57)【要約】【課題】  周囲が折り畳まれることにより袋状となった製袋封筒において、その表面に凹凸を生じさせることなく配達証を付与する。【解決手段】  製袋封筒を構成する後面片１０ｃにミシン目３１を形成し、このミシン目３１によって他の領域から分離可能に配達証３０ａ，３０ｂを区画形成する。【選択図】図２
2006248597.tif 000002
【特許請求の範囲】
【請求項１】
周囲が折り畳まれることにより袋状となった製袋封筒であって、
他の領域から分離可能に配達証が区画形成されている製袋封筒。
【請求項２】
請求項１に記載の製袋封筒において、
内部が視認可能となる窓部を有することを特徴とする製袋封筒。
【発明の詳細な説明】
【技術分野】
【０００１】
本発明は、周囲が折り畳まれることにより袋状となった製袋封筒に関する。
【背景技術】
【０００２】
従来より、重要な配達物を発送する場合等において、配達物が受取人に配達されたことを確認できる配達記録郵便が利用されている。このような配達記録郵便においては、受取人の住所や氏名等が記載されるとともに、受取人の受取印を押下するための領域が設けられた配達証が配達物に貼着され、配達物が受取人にて受け取られると、配達証に受取印が押下され、その後、この配達証が配達物から剥離されて配達人によって持ち帰られる。これにより、配達物が間違いなく受取人に配達されたことを確認可能としている。
【０００３】
このような配達証は、一般的に、配達物の受取人の住所や氏名等を記入するための宛先記入欄を有する宛先証用紙片と、受取印を押下するための領域を有する配達証用紙片とからなり、これらが配達物にそれぞれ貼着されることにより使用されることになる（例えば、特許文献１参照。）。
【特許文献１】特開２００１−８３８８０号公報
【発明の開示】
【発明が解決しようとする課題】
【０００４】
しかしながら、上述したような配達証においては、配達物に貼着されて使用されるため、配達物の表面において配達証の厚さ分だけの凹凸が生じ、それにより、配達証が貼着された配達物を郵便区分機にて区分けする場合、配達物が郵便区分機に引っ掛かり、正しく区分けされなくなってしまったり、郵便区分機内にて配達物が滞ってしまったりする虞れがある。
【０００５】
本発明は、上述したような従来の技術が有する問題点に鑑みてなされたものであって、周囲が折り畳まれることにより袋状となった製袋封筒において、その表面に凹凸を生じさせることなく配達証を付与することができる製袋封筒を提供することを目的とする。
【課題を解決するための手段】
【０００６】
上記目的を達成するために本発明は、
周囲が折り畳まれることにより袋状となった製袋封筒であって、
他の領域から分離可能に配達証が区画形成されている。
【０００７】
上記のように構成された本発明においては、配達証が付与されているのもの、この配達証は製袋封筒の他の領域から分離可能に区画形成されることにより製袋封筒に付与されているので、製袋封筒の表面には配達証による凹凸は生じず、それにより、この製袋封筒を郵便区分機にて区分けする場合、配達物が郵便区分機に引っ掛かることがなくなる。
【０００８】
また、内部が視認可能となる窓部を有する構成とすることも考えられる。
【発明の効果】
【０００９】
以上説明したように本発明においては、周囲が折り畳まれることにより袋状となった製袋封筒であって、他の領域から分離可能に配達証が区画形成されている構成としたため、その表面に凹凸を生じさせることなく配達証を付与することができる。
【００１０】
また、内部が視認可能となる窓部を有するものにおいては、封入物を製袋封筒に封入した後に、配達証に記載された情報と封入物に記載された情報とのマッチングを行うことができる。
【発明を実施するための最良の形態】
【００１１】
以下に、本発明の実施の形態について図面を参照して説明する。
【００１２】
（第１の実施の形態）
図１は、本発明の製袋封筒の第１の実施の形態を示す図であり、（ａ）は製袋封筒を構成する前面片側から見た図、（ｂ）は製袋封筒を構成する後面片側から見た図、（ｃ）は（ａ）に示した矢印Ｂ方向から見た図、（ｄ）は（ａ）に示したＡ−Ａ’断面図である。
【００１３】
本形態は図１に示すように、前面片１０ａと後面片１０ｃとが折り部２０ｂにて折り畳まれ、さらに、前面片１０ａの折り部２０ｂと隣接する辺が折り部１２ａ，１２ｂとなって折り畳まれ、その領域が粘着剤４０によって後面片１０ｃと接着されて構成されている。また、前面片１０ａの折り部２０ｂとは反対側の辺が折り部２０ａとなってこの折り部２０ａを介してフラップ部１０ｂが連接している。これにより、周囲が折り畳まれることによって袋状となった製袋封筒が形成されている。
【００１４】
また、前面片１０ａには、この製袋封筒の内部が外部から視認可能となるような窓部１１が形成されている。また、後面片１０ｃには、配達証３０ａ，３０ｂがミシン目３１によって後面片１０ｃの他の領域から分離可能に区画形成されている。この２つの配達証３０ａ，３０ｂのうち、一方の配達証３０ａは、この製袋封筒が受取人にて受け取られた場合に回収されるものであり、他方の配達証３０ｂは製袋封筒とともに受取人に渡されるものである。これら配達証３０ａ，３０ｂは、この製袋封筒の受取人の住所や氏名等の宛先情報が印字あるいは記入されることになる。また、配達証３０ａ，３０ｂの角部には、配達証３０ａ，３０ｂを後面片１０ｃから切り離して分離する際に配達証３０ａ，３０ｂを摘みやすくするための切り込み３２ａ，３２ｂが形成されている。
【００１５】
図２は、図１に示した製袋封筒を見開いた状態を示す図であり、（ａ）は製袋封筒の外側となる面を示す図、（ｂ）は製袋封筒の内側となる面を示す図、（ｃ）は（ｂ）に示したＡ−Ａ‘断面図である。
【００１６】
図１に示した製袋封筒は図２に示すように、前面片１０ａには、折り部２０ａ，２０ｂを介してフラップ部１０ｂ及び後面片１０ｃがそれぞれ連接しているとともに、折り部２０ａ，２０ｂに隣接する辺が折り部１２ａ，１２ｂとなってこの折り部１２ａ，１２ｂを介して接着部１３ａ，１３ｂが突出するように設けられている。この接着部１３ａ，１３ｂの、製袋封筒の外側となる面には、粘着剤４０が塗布されており、接着部１３ａ，１３ｂが折り部１２ａ，１２ｂにて折り畳まれ、この粘着剤４０によって後面片１０ｃと接着されることにより、前面片１０ａと後面片１０ｂとで袋状となる。また、窓部１１が形成された領域においては、製袋封筒の内側となる面に、窓部１１を覆うようにフィルム１４が貼着されており、それにより製袋封筒の内部が視認可能となりながらも、封入物が窓部１１から脱落してしまうことがないような構成となっている。
【００１７】
また、後面片１０ｃには、製袋封筒の内側となる面に、ミシン目３１によって他の領域から分離可能に区画形成された配達証３０ａ，３０ｂを覆うように被覆片１０ｄが貼着されている。この被覆片１０ｄは図２（ｃ）に示すように、裏面に塗布された粘着剤４０によって後面片１０ｃに貼着されているが、後面片１０ｃの配達証３０ａ，３０ｂが区画形成された領域の、製袋封筒の内側となる面には、目止層５０、剥離層６０及びニス層７０が積層されており、これらの層を覆うように粘着剤４０を介して被覆片１０ｄが貼着されている。これにより、配達証３０ａ，３０ｂが被覆片１０ｄから剥離可能及び再貼着不可能に貼着されている。なお、目止層５０及び剥離層６０にも後面片１０ｃに合わせてミシン目３１が形成されている。
【００１８】
上記のように構成された製袋封筒においては、配達証３０ａ，３０ｂが後面片１０ｃの他の領域からミシン目３１によって分離可能に区画形成されているので、配達証３０ａ，３０ｂが付与された後面片１０ｃの表面には配達証３０ａ，３０ｂによる凹凸は生じてはおらず、それにより、この製袋封筒を郵便区分機にて区分けする場合、製袋封筒が郵便区分機に引っ掛かり、正しく区分けされなくなってしまったり、郵便区分機内にて製袋封筒が滞ってしまったりすることがなくなる。また、配達証３０ａ，３０ｂと被覆片１０ｄとが、目止層５０、剥離層６０、ニス層７０及び粘着剤４０からなる接着構造によって互いに剥離可能に接着されているため、配達証３０ａ，３０ｂと被覆片１０ｄとが貼着された状態では、配達証３０ａ，３０ｂや被覆片１０ｄが浮き上がってしまうことがなく、それにより、封入物が封入しにくくなったり、製袋封筒を郵便区分機にて区分けする場合に製袋封筒が郵便区分機に引っ掛かってしまったりすることがなくなる。
【００１９】
以下に、上記のように構成された製袋封筒を用いて配達物を発送する際の処理について説明する。
【００２０】
図３は、図１及び図２に示した製袋封筒を用いて配達物を発送する際の処理を説明するためのフローチャートである。
【００２１】
まず、図２に示したような状態の製袋封筒を折り畳んで図１に示したような封筒形状として製袋封筒を作製しておく（ステップＳ１）。この製袋封筒は図１に示したような形状としてストックしておく。
【００２２】
図１に示したような形状とされた製袋封筒に封入物を封入する場合、まず、封入物に印刷されたバーコード情報が読み取られる（ステップＳ２）。
【００２３】
図４は、図１及び図２に示した製袋封筒に封入される封入物の一例を示す図である。
【００２４】
図４に示すように、図１及び図２に示した製袋封筒に封入される封入物には、この配達物の宛先を示す宛先情報３と、この配達物を特定可能な識別コード４と、識別コード４がバーコード表示されたバーコード情報２とが記載されており、この識別コード４とこの識別コード４によって特定される配達物の宛先情報３とが対応づけて管理されている。なお、バーコード情報２は、識別コード４がバーコード表示されたものではなく、識別コード４と対応づけられたものであればよい。
【００２５】
バーコード情報２が読み取られた封入物１が製袋封筒に封入され、フラップ部１０ｂに塗布された粘着剤（不図示）によってフラップ部１０ｂが後面片１０ｃと接着されることにより封緘された後（ステップＳ３）、バーコード情報２と対応づけて管理されている宛先情報が検索され、検索された宛先情報と、バーコード情報２によってバーコード表示された識別コードと４が配達証３０ａ，３０ｂに印刷される（ステップＳ４）。
【００２６】
図５は、図１及び図２に示した配達証３０ａ，３０ｂの一例を示す図である。
【００２７】
図５に示すように、図１及び図２に示した配達証３０ａ，３０ｂには、ステップＳ２にて読み取られたバーコード情報２に対応づけて管理されている宛先情報３３がそれぞれ印刷されるとともに、ステップＳ２にて読み取られたバーコード情報２によってバーコード表示された識別コード３４がそれぞれ印刷される。また、配達物が受取人にて受け取られた場合に回収される配達証３０ｂには、受取人が受領印を押下するための押印欄３５が設けられている。
【００２８】
その後、配達証３０ａ，３０ｂに印刷された識別コード３４と、封入物１に印刷された識別コード４とが読み取られ（ステップＳ５）、配達証３０ａ，３０ｂに印刷された識別コード３４と同一の識別コードが印刷された封入物が製袋封筒に封入されているかどうかのマッチング確認が行われる（ステップＳ６）。
【００２９】
図６は、図１及び図２に示した製袋封筒に図４に示した封入物１が封入された状態を示す図である。
【００３０】
図６に示すように、図１及び図２に示した製袋封筒に図４に示した封入物１が封入された場合、封入物１に印刷された宛先情報３及び識別コード４が、製袋封筒に設けられた窓部１１から視認可能となっており、この識別コード４が窓部１１を介して読み取られるとともに、製袋封筒に区画形成された配達証３０ａ，３０ｂに印刷された識別コード３４が読み取られ、マッチング確認が行われることになる。
【００３１】
このようにマッチング確認が行われた後、この配達物が配達され、受取人にて受け取られると、配達証３０ｂの押印欄３５に受取印が押下され、その後、この配達証３０ｂがミシン目３１を介して後面片１０ｃから切り離され、配達物から剥離されて配達人によって持ち帰られることになる。この際、剥離層６０とニス層７０との境界部分が剥離することにより、配達証３０ｂが被覆片１０ｄから剥離されることになる。
【００３２】
なお、本形態においては、後面片１０ｃに形成されたミシン目３１によって配達証３０ａ，３０ｂが他の領域から分離可能に区画形成されているが、後面片１０ｃにスリットを形成し、このスリットによって配達証３０ａ，３０ｂを後面片１０ｃの他の領域から分離可能とすることもできる。この場合、配達証３０ａ，３０ｂは、製袋封筒から剥離されていない状態においては、スリットによって後面片１０ｃの他の領域から分離されているものの、目止層５０、剥離層６０、ニス層７０及び粘着剤４０からなる接着構造によって被覆片１０ｄを介して後面片１０ｃの他の領域と繋がっている。
【００３３】
（第２の実施の形態）
図７は、本発明の製袋封筒の第２の実施の形態を示す図であり、（ａ）は製袋封筒を構成する前面片側から見た図、（ｂ）は製袋封筒を構成する後面片側から見た図、（ｃ）は（ａ）に示した矢印Ｂ方向から見た図、（ｄ）は（ａ）に示したＡ−Ａ’断面図である。
【００３４】
本形態は図７に示すように、前面片１１０ａと後面片１１０ｃとが折り部１２０ｂにて折り畳まれ、さらに、前面片１１０ａの折り部１２０ｂと隣接する辺が折り部１１２ａ，１１２ｂとなって折り畳まれ、その領域が粘着剤１４０によって後面片１１０ｃと接着されて構成されている。また、前面片１１０ａの折り部１２０ｂとは反対側の辺が折り部１２０ａとなってこの折り部１２０ａを介してフラップ部１１０ｂが連接している。これにより、周囲が折り畳まれることによって袋状となった製袋封筒が形成されている。
【００３５】
また、前面片１１０ａには、この製袋封筒の内部が外部から視認可能となるような窓部１１１が形成されている。また、後面片１１０ｃには、配達証１３０ａ，１３０ｂがミシン目１３１によって後面片１１０ｃの他の領域から分離可能に区画形成されている。この２つの配達証１３０ａ，１３０ｂのうち、一方の配達証１３０ａは、この製袋封筒が受取人にて受け取られた場合に回収されるものであり、他方の配達証１３０ｂは製袋封筒とともに受取人に渡されるものである。これら配達証１３０ａ，１３０ｂは、この製袋封筒の受取人の住所や氏名等の宛先情報が印字あるいは記入されることになる。また、配達証１３０ａ，１３０ｂの角部には、配達証１３０ａ，１３０ｂを後面片１１０ｃから切り離して分離する際に配達証１３０ａ，１３０ｂを摘みやすくするための切り込み１３２ａ，１３２ｂが形成されている。
【００３６】
図８は、図７に示した製袋封筒を見開いた状態を示す図であり、（ａ）は製袋封筒の外側となる面を示す図、（ｂ）は製袋封筒の内側となる面を示す図、（ｃ）は（ｂ）に示したＡ−Ａ‘断面図である。
【００３７】
図７に示した製袋封筒は図８に示すように、前面片１１０ａには、折り部１２０ａ，１２０ｂを介してフラップ部１１０ｂ及び後面片１１０ｃがそれぞれ連接しているとともに、折り部１２０ａ，１２０ｂに隣接する辺が折り部１１２ａ，１１２ｂとなってこの折り部１１２ａ，１１２ｂを介して接着部１１３ａ，１１３ｂが突出するように設けられている。この接着部１１３ａ，１１３ｂの、製袋封筒の外側となる面には、粘着剤１４０が塗布されており、接着部１１３ａ，１１３ｂが折り部１１２ａ，１１２ｂにて折り畳まれ、この粘着剤１４０によって後面片１１０ｃと接着されることにより、前面片１１０ａと後面片１１０ｂとで袋状となる。また、窓部１１１が形成された領域においては、製袋封筒の内側となる面に、窓部１１１を覆うようにフィルム１１４が貼着されており、それにより製袋封筒の内部が視認可能となりながらも、封入物が窓部１１１から脱落してしまうことがないような構成となっている。
【００３８】
また、後面片１１０ｃには、製袋封筒の内側となる面に、ミシン目１３１によって他の領域から分離可能に区画形成された配達証１３０ａ，１３０ｂを覆うように被覆片１１０ｄが貼着されている。この被覆片１１０ｄは図８（ｃ）に示すように、配達証１３０ａ，１３０ｂを囲むように塗布された粘着剤１４０によって後面片１１０ｃに貼着されている。
【００３９】
上記のように構成された製袋封筒においては、第１の実施の形態に示したものと同様にして利用されることが考えられるが、配達証１３０ａ，１３０ｂが後面片１１０ｃの他の領域からミシン目１３１によって分離可能に区画形成されているので、配達証１３０ａ，１３０ｂが付与された後面片１１０ｃの表面には配達証１３０ａ，１３０ｂによる凹凸は生じてはおらず、それにより、この製袋封筒を郵便区分機にて区分けする場合、製袋封筒が郵便区分機に引っ掛かり、正しく区分けされなくなってしまったり、郵便区分機内にて製袋封筒が滞ってしまったりすることがなくなる。
【００４０】
（第３の実施の形態）
図９は、本発明の製袋封筒の第３の実施の形態を示す図であり、（ａ）は製袋封筒を構成する前面片側から見た図、（ｂ）は（ａ）に示した矢印Ｂ方向から見た図、（ｃ）は（ａ）に示したＡ−Ａ’断面図である。
【００４１】
本形態は図９に示すように、前面片２１０ａと後面片２１０ｃとが折り部２２０ｂにて折り畳まれ、さらに、前面片２１０ａの折り部２２０ｂと隣接する辺が折り部２１２ａ，２１２ｂとなって折り畳まれ、その領域が粘着剤２４０によって後面片２１０ｃと接着されて構成されている。また、前面片２１０ａの折り部２２０ｂとは反対側の辺が折り部２２０ａとなってこの折り部２２０ａを介してフラップ部２１０ｂが連接している。これにより、周囲が折り畳まれることによって袋状となった製袋封筒が形成されている。
【００４２】
また、前面片２１０ａには、この製袋封筒の内部が外部から視認可能となるような窓部２１１が形成されている。また、フラップ部２１０ｂには、配達証２３０ａ，２３０ｂがミシン目２３１によってフラップ部２１０ｂの他の領域から分離可能に区画形成されている。この２つの配達証２３０ａ，２３０ｂのうち、一方の配達証２３０ａは、この製袋封筒が受取人にて受け取られた場合に回収されるものであり、他方の配達証２３０ｂは製袋封筒とともに受取人に渡されるものである。これら配達証２３０ａ，２３０ｂは、この製袋封筒の受取人の住所や氏名等の宛先情報が印字あるいは記入されることになる。
【００４３】
図１０は、図９に示した製袋封筒を見開いた状態を示す図であり、（ａ）は製袋封筒の外側となる面を示す図、（ｂ）は製袋封筒の内側となる面を示す図である。
【００４４】
図９に示した製袋封筒は図１０に示すように、前面片２１０ａには、折り部２２０ａ，２２０ｂを介してフラップ部２１０ｂ及び後面片２１０ｃがそれぞれ連接しているとともに、折り部２２０ａ，２２０ｂに隣接する辺が折り部２１２ａ，２１２ｂとなってこの折り部２１２ａ，２１２ｂを介して接着部２１３ａ，２１３ｂが突出するように設けられている。この接着部２１３ａ，２１３ｂの、製袋封筒の外側となる面には、粘着剤２４０が塗布されており、接着部２１３ａ，２１３ｂが折り部２１２ａ，２１２ｂにて折り畳まれ、この粘着剤２４０によって後面片２１０ｃと接着されることにより、前面片２１０ａと後面片２１０ｂとで袋状となる。また、窓部２１１が形成された領域においては、製袋封筒の内側となる面に、窓部２１１を覆うようにフィルム２１４が貼着されており、それにより製袋封筒の内部が視認可能となりながらも、封入物が窓部２１１から脱落してしまうことがないような構成となっている。
【００４５】
また、フラップ部２１０ｂには、折り部２２０ａとは反対側の辺に沿う領域の、製袋封筒の内側となる面に、このフラップ部２１０ｂを後面片２１０ｃに接着して製袋封筒を封緘するための粘着剤２４０が塗布されており、この粘着剤２４０が塗布された領域の折り部２２０ａ側に粘着剤２４０に沿うようにミシン目２３１が形成されており、このミシン目２３１は折り部２２０ａ上にも形成されている。そして、このミシン目２３１によって囲まれた領域に配達証２３０ａ，２３０ｂが設けられており、それにより、配達証２３０ａ，２３０ｂが、ミシン目２３１によってフラップ部２１０ｂの他の領域から分離可能に区画形成されている。また、配達証２３０ａと配達証２３０ｂとの境界部分にもミシン目２３１が形成されており、それにより、２つの配達証２３０ａ，２３０ｂが分離可能となっている。
【００４６】
上記のように構成された製袋封筒においては、第１の実施の形態に示したものと同様にして利用されることが考えられるが、配達証２３０ａ，２３０ｂがフラップ部２１０ｂの他の領域からミシン目２３１によって分離可能に区画形成されているので、配達証２３０ａ，２３０ｂが付与された製袋封筒の表面には配達証２３０ａ，２３０ｂによる凹凸は生じてはおらず、それにより、この製袋封筒を郵便区分機にて区分けする場合、製袋封筒が郵便区分機に引っ掛かり、正しく区分けされなくなってしまったり、郵便区分機内にて製袋封筒が滞ってしまったりすることがなくなる。また、フラップ部２１０ｂの折り部２２０ａと隣接する２つの辺が後面片２１０ｃと接着されていないため、この辺を摘むことにより、配達証２３０ａ，２３０ｂを容易に切り離して分離することができる。
【００４７】
（第４の実施の形態）
図１１は、本発明の製袋封筒の第４の実施の形態を示す図であり、（ａ）は製袋封筒を構成する前面片側から見た図、（ｂ）は（ａ）に示した矢印Ｂ方向から見た図、（ｃ）は（ａ）に示したＡ−Ａ’断面図である。
【００４８】
本形態は図１１に示すように、前面片３１０ａと後面片３１０ｃとが折り部３２０ｂにて折り畳まれ、さらに、前面片３１０ａの折り部３２０ｂと隣接する辺が折り部３１２ａ，３１２ｂとなって折り畳まれ、その領域が粘着剤３４０によって後面片３１０ｃと接着されて構成されている。また、前面片３１０ａの折り部３２０ｂとは反対側の辺が折り部３２０ａとなってこの折り部３２０ａを介してフラップ部３１０ｂが連接している。これにより、周囲が折り畳まれることによって袋状となった製袋封筒が形成されている。
【００４９】
また、前面片３１０ａには、この製袋封筒の内部が外部から視認可能となるような窓部３１１が形成されている。また、フラップ部３１０ｂには、配達証３３０ａ，３３０ｂがミシン目３３１によってフラップ部３１０ｂの他の領域から分離可能に区画形成されている。この２つの配達証３３０ａ，３３０ｂのうち、一方の配達証３３０ａは、この製袋封筒が受取人にて受け取られた場合に回収されるものであり、他方の配達証３３０ｂは製袋封筒とともに受取人に渡されるものである。これら配達証３３０ａ，３３０ｂは、この製袋封筒の受取人の住所や氏名等の宛先情報が印字あるいは記入されることになる。
【００５０】
図１２は、図１１に示した製袋封筒を見開いた状態を示す図であり、（ａ）は製袋封筒の外側となる面を示す図、（ｂ）は製袋封筒の内側となる面を示す図である。
【００５１】
図１１に示した製袋封筒は図１２に示すように、前面片３１０ａには、折り部３２０ａ，３２０ｂを介してフラップ部３１０ｂ及び後面片３１０ｃがそれぞれ連接しているとともに、折り部３２０ａ，３２０ｂに隣接する辺が折り部３１２ａ，３１２ｂとなってこの折り部３１２ａ，３１２ｂを介して接着部３１３ａ，３１３ｂが突出するように設けられている。この接着部３１３ａ，３１３ｂの、製袋封筒の外側となる面には、粘着剤３４０が塗布されており、接着部３１３ａ，３１３ｂが折り部３１２ａ，３１２ｂにて折り畳まれ、この粘着剤３４０によって後面片３１０ｃと接着されることにより、前面片３１０ａと後面片３１０ｂとで袋状となる。また、窓部３１１が形成された領域においては、製袋封筒の内側となる面に、窓部３１１を覆うようにフィルム３１４が貼着されており、それにより製袋封筒の内部が視認可能となりながらも、封入物が窓部３１１から脱落してしまうことがないような構成となっている。
【００５２】
また、フラップ部３１０ｂには、折り部３２０ａに沿う領域及び折り部３２０ａとは反対側の辺に沿う領域の、製袋封筒の内側となる面に、このフラップ部３１０ｂを後面片３１０ｃに接着して製袋封筒を封緘するための粘着剤３４０が塗布されており、この粘着剤３４０がそれぞれ塗布された領域の互いに対向する側に粘着剤３４０に沿うようにミシン目３３１が形成されている。そして、このミシン目３３１によって囲まれた領域に配達証３３０ａ，３３０ｂが設けられており、それにより、配達証３３０ａ，３３０ｂが、ミシン目３３１によってフラップ部３１０ｂの他の領域から分離可能に区画形成されている。また、配達証３３０ａと配達証３３０ｂとの境界部分にもミシン目３３１が形成されており、それにより、２つの配達証３３０ａ，３３０ｂが分離可能となっている。
【００５３】
上記のように構成された製袋封筒においては、第１の実施の形態に示したものと同様にして利用されることが考えられるが、配達証３３０ａ，３３０ｂがフラップ部３１０ｂの他の領域からミシン目３３１によって分離可能に区画形成されているので、配達証３３０ａ，３３０ｂが付与された製袋封筒の表面には配達証３３０ａ，３３０ｂによる凹凸は生じてはおらず、それにより、この製袋封筒を郵便区分機にて区分けする場合、製袋封筒が郵便区分機に引っ掛かり、正しく区分けされなくなってしまったり、郵便区分機内にて製袋封筒が滞ってしまったりすることがなくなる。また、フラップ部３１０ｂの折り部３２０ａと隣接する２つの辺が後面片３１０ｃと接着されていないため、この辺を摘むことにより、配達証３３０ａ，３３０ｂを容易に切り離して分離することができる。また、折り部３２０ａに沿う領域に粘着剤３４０が塗布され、その粘着剤３４０が塗布された領域の折り部３２０ａとは反対側に、配達証３３０ａ，３３０ｂを切り離して分離するためのミシン目３３１が形成されているため、フラップ部２１０ｂからミシン目３３１によって配達証３３０ａ，３３０ｂを切り離して分離した場合においても、この製袋封筒に封入された封入物が脱落してしまうことがない。
【００５４】
なお、上述した４つの実施の形態においては、前面片１０ａ，１１０ａ，２１０ａ，３１０ａに窓部１１，１１１，２１１，３１１が設けられ、それにより、製袋封筒に封入された封入物が外部からも視認可能としているが、窓部が設けられていないものについても本発明を適用できることは言うまでもない。その場合、配達証に宛先情報が印刷される際に同時に製袋封筒に宛先情報を印刷することが考えられる。
【図面の簡単な説明】
【００５５】
【図１】本発明の製袋封筒の第１の実施の形態を示す図であり、（ａ）は製袋封筒を構成する前面片側から見た図、（ｂ）は製袋封筒を構成する後面片側から見た図、（ｃ）は（ａ）に示した矢印Ｂ方向から見た図、（ｄ）は（ａ）に示したＡ−Ａ’断面図である。
【図２】図１に示した製袋封筒を見開いた状態を示す図であり、（ａ）は製袋封筒の外側となる面を示す図、（ｂ）は製袋封筒の内側となる面を示す図、（ｃ）は（ｂ）に示したＡ−Ａ‘断面図である。
【図３】図１及び図２に示した製袋封筒を用いて配達物を発送する際の処理を説明するためのフローチャートである。
【図４】図１及び図２に示した製袋封筒に封入される封入物の一例を示す図である。
【図５】図１及び図２に示した配達証の一例を示す図である。
【図６】図１及び図２に示した製袋封筒に図４に示した封入物１が封入された状態を示す図である。
【図７】本発明の製袋封筒の第２の実施の形態を示す図であり、（ａ）は製袋封筒を構成する前面片側から見た図、（ｂ）は製袋封筒を構成する後面片側から見た図、（ｃ）は（ａ）に示した矢印Ｂ方向から見た図、（ｄ）は（ａ）に示したＡ−Ａ’断面図である。
【図８】図７に示した製袋封筒を見開いた状態を示す図であり、（ａ）は製袋封筒の外側となる面を示す図、（ｂ）は製袋封筒の内側となる面を示す図、（ｃ）は（ｂ）に示したＡ−Ａ‘断面図である。
【図９】本発明の製袋封筒の第３の実施の形態を示す図であり、（ａ）は製袋封筒を構成する前面片側から見た図、（ｂ）は（ａ）に示した矢印Ｂ方向から見た図、（ｃ）は（ａ）に示したＡ−Ａ’断面図である。
【図１０】図９に示した製袋封筒を見開いた状態を示す図であり、（ａ）は製袋封筒の外側となる面を示す図、（ｂ）は製袋封筒の内側となる面を示す図である。
【図１１】本発明の製袋封筒の第４の実施の形態を示す図であり、（ａ）は製袋封筒を構成する前面片側から見た図、（ｂ）は（ａ）に示した矢印Ｂ方向から見た図、（ｃ）は（ａ）に示したＡ−Ａ’断面図である。
【図１２】図１１に示した製袋封筒を見開いた状態を示す図であり、（ａ）は製袋封筒の外側となる面を示す図、（ｂ）は製袋封筒の内側となる面を示す図である。
【符号の説明】
【００５６】
１    封入物
２    バーコード情報
３，３３    宛先情報
４，３４    識別コード
１０ａ，１１０ａ，２１０ａ，３１０ａ    前面片
１０ｂ，１１０ｂ，２１０ｂ，３１０ｂ    フラップ部
１０ｃ，１１０ｃ，２１０ｃ，３１０ｃ    後面片
１０ｄ，１１０ｄ    被覆片
１１，１１１，２１１，３１１    窓部
１２ａ，１２ｂ，２０ａ，２０ｂ，１１２ａ，１１２ｂ，１２０ａ，１２０ｂ，２１２ａ，２１２ｂ，２２０ａ，２２０ｂ，３１２ａ，３１２ｂ，３２０ａ，３２０ｂ    折り部
１３ａ，１３ｂ，１１３ａ，１１３ｂ，２１３ａ，２１３ｂ，３１３ａ，３１３ｂ    接着部
１４，１１４，２１４，３１４    フィルム
３０ａ，３０ｂ，１３０ａ，１３０ｂ，２３０ａ，２３０ｂ，３３０ａ，３３０ｂ    配達証
３１，１３１，２３１，３３１    ミシン目
３２ａ，３２ｂ，１３２ａ，１３２ｂ    切り込み
３５    押印欄
４０    粘着剤
５０    目止層
６０    剥離層
７０    ニス層
【図１】
2006248597.tif 000003
【図２】
2006248597.tif 000004
【図３】
2006248597.tif 000005
【図４】
2006248597.tif 000006
【図５】
2006248597.tif 000007
【図６】
2006248597.tif 000008
【図７】
2006248597.tif 000009
【図８】
2006248597.tif 000010
【図９】
2006248597.tif 000011
【図１０】
2006248597.tif 000012
【図１１】
2006248597.tif 000013
【図１２】
2006248597.tif 000014